(57)【要約】【課題】密着型イメージセンサを用いたシートスルー方式において、読取り位置での紙詰まりの発生を抑制でき、また、詰まった原稿を容易に除去できる画像読み取り装置を得る。【解決手段】１枚ずつ搬送される原稿Ｄの画像を密着型イメージセンサ４０にて読取り位置Ｂで読み取る画像読取り装置。センサ４０に設けた読取りガラス４１に対向してガイド板５１，５２などの原稿ガイド部材が配置され、該原稿ガイド部材はセンサ４０に向かってコイルばね６２によって所定の力量で付勢され、かつ、該付勢力に抗して支軸７０を支点として下方に搖動可能である。原稿Ｄは読取りガラス４１と搬送ガイド部材との間を搬送される。【選択図】図２
2011166604.tif 000002
【特許請求の範囲】
【請求項１】
１枚ずつ搬送される原稿の第１面画像を搬送途中の第１読取り位置で、第２面画像を搬送途中の第２読取り位置で、それぞれ光学的に読み取る第１読取り手段及び第２読取り手段を備えた画像読取り装置において、
前記第２読取り手段は密着型イメージセンサであり、
前記密着型イメージセンサに対向して搬送ガイド部材が配置されており、
前記搬送ガイド部材は前記密着型イメージセンサに向かって所定の力量で弾性的に付勢され、かつ、該付勢力に抗して前記密着型イメージセンサから離れる方向に変位可能であること、
を特徴とする画像読取り装置。
【請求項２】
前記搬送ガイド部材が搬送される原稿によって前記密着型イメージセンサから離れる方向に変位する位置は、搬送される原稿の第２面が前記密着型イメージセンサの読取り範囲内にガイドする位置であること、を特徴とする請求項１に記載の画像読取り装置。
【請求項３】
前記搬送ガイド部材を弾性的に付勢する力量は、通紙許容範囲内の最大厚みを有する原稿による押付け力よりも小さい力量であること、を特徴とする請求項１又は請求項２に記載の画像読取り装置。
【請求項４】
前記搬送ガイド部材を弾性的に付勢する力量は、前記搬送ガイド部材がその自重及び外部からの振動で変位しない力量であること、を特徴とする請求項１ないし請求項３のいずれかに記載の画像読取り装置。
【請求項５】
前記搬送ガイド部材は前記密着型イメージセンサから離れる方向に搖動可能であること、を特徴とする請求項１ないし請求項４のいずれかに記載の画像読取り装置。
【請求項６】
前記搬送ガイド部材と前記密着型イメージセンサとの間の搬送経路の間隔を決めるスペーサ部材が前記搬送ガイド部材に取り付けられていること、を特徴とする請求項１ないし請求項５のいずれかに記載の画像読取り装置。
【請求項７】
前記搬送ガイド部材はカバー部材に取り付けられており、該カバー部材は前記密着型イメージセンサから離間する方向に搖動可能であること、を特徴とする請求項１ないし請求項６のいずれかに記載の画像読取り装置。
【請求項８】
前記密着型イメージセンサよりも原稿搬送方向上流側に近接して搬送ローラ対が配置されていること、を特徴とする請求項１ないし請求項７のいずれかに記載の画像読取り装置。
【請求項９】
前記搬送ローラ対の一方のローラは前記カバー部材に取り付けられていること、を特徴とする請求項８に記載の画像読取り装置。
【発明の詳細な説明】
【技術分野】
【０００１】
本発明は、画像読取り装置、特に、１枚ずつ搬送される原稿の画像を搬送途中で光学的に読み取る画像読取り装置に関する。
【背景技術】
【０００２】
原稿の画像を光学的に読み取る画像読取り装置としては、プラテンガラス上に載置した原稿の画像を読み取るプラテンセット方式と、１枚ずつ搬送される原稿の画像を搬送途中で読み取るシートスルー方式とが、それぞれ単独であるいは併用されていた。シートスルー方式は、装置の小型化、低コスト化、読取りの高速化、ひいては複写機でのプリントの生産性に利点を有している。
【０００３】
近年では、原稿の第１面（表面）画像をプラテンセット方式で原稿画像を読み取る光学系を用いて第１読取り位置で読み取り、第２読取り位置に設けた密着型イメージセンサで第２面（裏面）の画像を読み取るようにした、いわゆるデュアルスキャンタイプが提供されている。デュアルスキャンタイプであれば、原稿の１回の通紙で両面の画像を読み取ることができ、より高いプリント生産性が得られ、原稿の紙詰まりの発生頻度を半減できる。
【０００４】
第２読取り位置に設置される密着型イメージセンサは、小型であるために画像読取り装置の小型化に寄与する。しかし、焦点深度が浅いため、第２面を第２読取り位置でセンサとの距離を常時一定に保って搬送する必要がある。しかも、密着型イメージセンサに配置された読取りガラスと該読取りガラスと対向して配置された搬送ガイド部材との隙間を狭く設定する必要が生じ、紙詰まり発生の可能性が高くなる。また、蛇腹状に詰まった原稿を取り去る際に読取りガラスを傷つけるおそれがある。
【０００５】
特許文献１には、密着型イメージセンサに突起部を設け、該突起部に搬送されてきた原稿を当接／屈曲させ、ガラス面からは一定の距離を保って読取り位置を通過させるようにした画像読取り装置が記載されている。特許文献２には、画像読取り位置において、ガイド部材を読取りガラスに向かって弾性的に押し付け、搬送される原稿の浮き上がりを押さえ込み、画像品質を安定化する両面画像読取り装置が記載されている。
【先行技術文献】
【特許文献】
【０００６】
【特許文献１】特開２００４−４８１４９号公報
【特許文献２】特許第３８８３９０７号公報
【発明の概要】
【発明が解決しようとする課題】
【０００７】
そこで、本発明の目的は、密着型イメージセンサを用いたシートスルー方式において、読取り位置での紙詰まりの発生を抑制でき、また、詰まった原稿を容易に除去できる画像読取り装置を提供することにある。
【課題を解決するための手段】
【０００８】
本発明の一形態である画像読取り装置は、
１枚ずつ搬送される原稿の第１面画像を搬送途中の第１読取り位置で、第２面画像を搬送途中の第２読取り位置で、それぞれ光学的に読み取る第１読取り手段及び第２読取り手段を備えた画像読取り装置において、
前記第２読取り手段は密着型イメージセンサであり、
前記密着型イメージセンサに対向して搬送ガイド部材が配置されており、
前記搬送ガイド部材は前記密着型イメージセンサに向かって所定の力量で弾性的に付勢され、かつ、該付勢力に抗して前記密着型イメージセンサから離れる方向に変位可能であること、
を特徴とする。
【０００９】
前記画像読取り装置では、第２読取り位置において、原稿は密着型イメージセンサの読取りガラスと搬送ガイド部材との間で規制されて搬送され、第２面の画像を読み取られる。原稿を搬送ガイド部材で規制することで、焦点深度の浅い密着型イメージセンサで確実に読み取ることができる。搬送ガイド部材は密着型イメージセンサに向かって所定の力量で弾性的に付勢され、かつ、該付勢力に抗して密着型イメージセンサから離れる方向に変位可能であるため、搬送されてきた原稿に押圧されると搬送経路が若干広がることになるので、第２読取り位置での紙詰まりの発生が抑制され、かつ、紙詰まりが生じた場合には詰まった原稿が取り出しやすくなる。また、原稿が蛇腹状に詰まった場合であっても取出し時に読取りガラスに傷が付きにくい。
【００１０】
前記画像読取り装置において、搬送ガイド部材はカバー部材に取り付けられており、該カバー部材は密着型イメージセンサから離れる方向に搖動可能であることが好ましい。第２読取り位置を大きく開放することができ、詰まった原稿の取り出しが容易になる。
【発明の効果】
【００１１】
本発明によれば、密着型イメージセンサを用いたシートスルー方式において、読取り位置での紙詰まりの発生を抑制でき、また、詰まった原稿を容易に除去できる。
【図面の簡単な説明】
【００１２】
【図１】一実施例である画像読取り装置の要部を示す概略構成図である。
【図２】前記画像読取り装置における第２読取り位置での構成を示す断面図である。
【図３】第２読取り位置での搬送ガイド部材を開放した状態を示す断面図である。
【図４】搬送ガイド部材のカバーをロックする手段を示す説明図である。
【発明を実施するための形態】
【００１３】
以下、本発明に係る画像読取り装置の実施例について、添付図面を参照して説明する。
【００１４】
（画像読取り装置の概略構成、図１参照）
画像読取り装置は、図１に示すように、プラテンガラス１０上に載置された原稿の画像を読み取るプラテンセット方式と、自動原稿搬送装置２０にて搬送される原稿の画像を読み取るシートスルー方式とを備え、読取り光学系３０と、密着型イメージセンサ４０とを備えている。
【００１５】
読取り光学系３０は、それ自体周知のものであって、ランプ３３と、ミラー３４，３５，３６と、図示しない結像レンズ及び撮像素子（ＣＣＤ）とで構成されている。プラテンセット方式での原稿画像の読み取りを行うため、ランプ３３とミラー３４は第１スライダ３１に搭載され、ミラー３５，３６は第２スライダ３２に搭載され、それぞれ矢印Ｚ方向に移動可能である。シートスルー方式で原稿の第１面（表面）の画像の読取りは、光学系３０を第１読取り位置Ａに静止させた状態で行う。シートスルー方式での原稿の第２面（裏面）の画像の読取りは、密着型イメージセンサ４０が第２読取り位置Ｂで行う。
【００１６】
自動原稿搬送装置２０は、原稿載置トレイ２１と、給紙ローラ２２と、さばきローラ２３と、レジストローラ２４と、搬送ローラ２５，２６，２７，２８とで構成されている。原稿Ｄは第１面を上に向けてトレイ２１上に載置され、給紙ローラ２２にて最上層から給紙され、さばきローラ２３にて１枚ずつに捌かれ、レジストローラ２４を介して搬送ローラ２５にて、まず、読取りガラス３７上を搬送され、第１面の画像が第１読取り位置Ａにて前記光学系３０によって読み取られる。
【００１７】
次に、原稿Ｄは搬送ローラ２６にて第２読取り位置Ｂに搬送され、両面読取りモードであれば、第２面の画像が密着型イメージセンサ４０にて読み取られる。このとき、原稿Ｄは密着型イメージセンサ４０の読取りガラス４１と以下に詳述する搬送ガイド部材の間を搬送される。その後、原稿Ｄは搬送ローラ２７，２８にて図示しない排紙トレイに排出される。
【００１８】
なお、密着型イメージセンサ４０は、従来から周知の構成を備えたもので、筺体に図示しない光源ランプ、ＣＣＤセンサ、レンズアレイが内蔵されており、筺体の前面側に読取りガラス４１が固定されている。
【００１９】
（第２読取り位置での原稿ガイド機構、図２〜図４参照）
密着型イメージセンサ４０は、その焦点深度が浅く、第２読取り位置Ｂでは原稿Ｄを読取りガラス４１に近付けて、かつ、読取りガラス４１とは極力非接触で焦点深度の範囲内で、また、原稿Ｄの第２面と読取りガラス４１との距離をほぼ一定に保持して搬送する必要がある。
【００２０】
そのため、本実施例では、図２に示すように、密着型イメージセンサ４０の読取りガラス４１に対向して搬送ガイド部材として機能するガイド板５１，５２及び断面半円形部材５３をブラケット６０に取り付けた。ブラケット６０はカバー部材６５に装着されている。半円形部材５３は表面を白色に着色されており、画像読取りの際のシェーディング補正に用いられ、かつ、読取り背景部として機能する。また、半円形部材５３にはブラシ５４が取り付けられており、半円形部材５３が回転することによりブラシ５４にて読取りガラス４１の表面に付着したゴミなどの異物を清掃する。
【００２１】
搬送ローラ対２６は密着型イメージセンサ４０よりも搬送方向ｄの上流側に近接して配置されており、一方のローラ２６ａはカバー部材６５に取り付けられている。また、密着型イメージセンサ４０よりも搬送方向ｄの下流側に近接して配置されている搬送ローラ対２７の一方のローラ２７ａもカバー部材６５に取り付けられている。
【００２２】
ブラケット６０及びカバー部材６５は装置本体に設けた支軸７０を支点として上下方向に搖動自在である。ブラケット６０は凹所６１に設けたコイルばね６２の下端がカバー部材６５に当接していることによって密着型イメージセンサ４０に向かって弾性的に付勢されている。ブラケット６０に設けたスペーサ６３が読取りガラス４１の表面に当接することにより、搬送ガイド部材（ガイド板５１，５２、半円形部材５３）と読取りガラス４１の表面との間隔、即ち、原稿Ｄの搬送スペースが規制されることになる。ブラケット６０は搬送される原稿Ｄが当接することによりコイルばね６２のばね力に抗して支軸７０を支点として下方に搖動する。この搖動位置はブラケット６０の端部６０ａがカバー部材６５に当接することにより規制される。スペーサ６３は、原稿Ｄの搬送を阻害しないように、搬送経路の両側に配置されている。
【００２３】
即ち、搬送ガイド部材は、ブラケット６０を含めて、密着型イメージセンサ４０に向かってコイルばね６２の所定の力量で弾性的に付勢された状態で支軸７０を支点として搖動可能である。通常、搬送ガイド部材はスペーサ６３によって位置決めされた状態で原稿Ｄの搬送をガイドし、このガイド位置は原稿Ｄの第２面が密着型イメージセンサ４０の読取り範囲内（焦点深度の範囲内）であることが好ましい。
【００２４】
原稿Ｄが厚紙であったり、先端や後端が下方にカールしている場合、搬送ガイド部材が下方に押圧されて支軸７０を支点として搖動し、搬送経路を若干開く。これによって、原稿Ｄの紙詰まりが未然に防止され、先端部が第２読取り位置Ｂで詰まった場合に先端部が蛇腹状に変形しにくくなる。但し、このように搬送ガイド部材が下方に搖動した場合であっても、搬送される原稿Ｄの第２面が密着型イメージセンサ４０の焦点深度の範囲内にガイドすることが好ましい。
【００２５】
コイルばね６２によって搬送ガイド部材を付勢する力量は、搬送ガイド部材やブラケット６０の自重及び外部からの振動で搖動しない力量であることが好ましい。また、通紙許容範囲内の最大厚みを有する原稿による押付け力よりも小さい力量であることが好ましい。具体的には、コイルばね６２の力量は、約５．５Ｎよりも大きく、約１４．５Ｎよりも小さいことが好ましい。コイルばね６２の力量がこの範囲に設定されることにより、搬送ガイド部材が自重などで揺れることなく、かつ、原稿Ｄの搬送時の押付け力で搬送経路を、読取り画像の劣化を生じない範囲で、広げることができる。
【００２６】
一方、第２読取り位置Ｂで原稿の紙詰まりが生じた場合は、図３に示すように、カバー部材６５を支軸７０を支点として下方に搖動させることにより、第２読取り位置Ｂでの搬送経路を大きく開放することができる。これにて、詰まった原稿を容易に除去することが可能である。
【００２７】
ちなみに、図４に示すように、カバー部材６５には爪部材６６が図示しないトーションばねにて矢印ｃ方向に付勢された状態でピン６７を支点として回動可能に取り付けられている。カバー部材６５は、爪部材６６が装置本体に固定したロック片７１に係合することにより、所定位置にロックされる。このロック状態で、前記スペーサ６３が読取りガラス４１の表面に当接して搬送ガイド部材が原稿ガイド位置に位置決めされる。一方、爪部材６６を矢印ｃとは逆方向に回動させてロック片７１との係合を解除することにより、カバー部材６５を下方に搖動させることが可能になる。
【００２８】
（その他の実施例）
なお、本発明に係る画像読取り装置は、前記実施例に限定するものではなく、その要旨の範囲内において変更可能である。
【００２９】
例えば、画像読取り装置は種々の形態であってもよく、光学系３０に代えて密着型イメージセンサを設置したものであってもよい。また、自動原稿搬送装置の細部は任意の構成を採用することができる。
【００３０】
また、前記実施例において、ガイド板５１などの搬送ガイド部材やブラケット６０はカバー部材６５と共通の支軸７０に搖動可能に配置したが、必ずしも同軸で搖動可能である必要はない。例えば、ガイド板５１などの搬送ガイド部材やブラケット６０は、密着型イメージセンサ４０から直線的に離れる方向に変位可能であってもよい。さらに、第２読取り位置Ｂは第１読取り位置Ａの原稿搬送方向上流側に配置されていてもよい。
【産業上の利用可能性】
【００３１】
以上のように、本発明は、画像読取り装置に有用であり、特に、読取り位置での紙詰まりの発生を抑制でき、詰まった原稿を容易に除去できる点で優れている。
【符号の説明】
【００３２】
２０…自動原稿搬送装置
２６…搬送ローラ対
４０…密着型イメージセンサ
４１…読取りガラス
５１，５２…ガイド板
６０…ブラケット
６２…コイルばね
６３…スペーサ
６５…カバー部材
Ａ…第１読取り位置
Ｂ…第２読取り位置
Ｄ…原稿
【図１】
2011166604.tif 000003
【図２】
2011166604.tif 000004
【図３】
2011166604.tif 000005
【図４】
2011166604.tif 000006